(57)【要約】【課題】  携帯電話機の文字入力の迅速化において補助入力キーを新たに設けて対応するには、製作コストを増加させる問題があった。またキーの増加により、ユーザにも煩雑な操作の必要性の印象を与えてしまう問題もあった。【解決手段】  本発明の携帯電話機では、携帯電話機に実装されている数字・文字キーを用いて文字入力の迅速化をはかることができる。これにより、製作コストの増加、および、ユーザへの煩雑な操作の必要性の印象をあたえずに改善することができる。また、濁点・半濁点・小さな仮名・小文字・長音記号の変換処理も容易に行うことができるものである。【選択図】  図３
2005311898.tif 000002
【特許請求の範囲】
【請求項１】
表示部と、
それぞれに入力候補群が割り当てられた１０個の基本入力キーと１個の補助入力キーと、前記入力候補群の個々に割り当てられ上下左右方向に押下可能な十字キーとを含むキー操作部とを有し、
前記キー操作部を操作して数字及び文字の入力を行う携帯電話機の文字入力方法であって、
前記基本入力キーの押下により入力候補群を選択し、
前記十字キーの押下位置により前記入力候補の内の１つの文字または数字を決定することを特徴とする携帯電話機の文字入力方法。
【請求項２】
日本語入力の際に、前記十字キーで所望の１字を選択し、前記補助入力キーの押下により該選択文字の小文字変換、または濁点、半濁点の付与を行うことを特徴とする請求項１に記載の携帯電話機の文字入力方法。
【請求項３】
日本語入力の際に、前記基本入力キーの１つを押下した後、前記補助入力キーを押下することで長音を入力することを特徴とする請求項１に記載の携帯電話機の文字入力方法。
【請求項４】
英数字入力の際に、前記十字キーで所望の１字を選択し、前記補助入力キーの押下により該選択文字の小文字変換を行うことを特徴とする請求項１に記載の携帯電話機の文字入力方法。
【請求項５】
前記基本入力キーの押下により前記表示部の上下左右いずれかの端部に表示される前記入力候補群と前記十字キーの方向との対応状況に従って文字入力を行うことを特徴とする請求項１に記載の携帯電話機の文字入力方法。
【発明の詳細な説明】
【技術分野】
【０００１】
本発明は、文字入力機能を備えた携帯電話機の文字入力方法、特に、特殊文字の入力の迅速化を向上した携帯電話機の文字入力方法に関するものである。
【背景技術】
【０００２】
近年、電子機器は小型化、高機能化が進んでいる。例えば、携帯電話機では、画面が大型化し、大量の文字情報や画像を表示できるようになっている。しかしながら、携帯電話機の文字入力に使用できるキーは少なく、一つのキーに複数の文字、および、数字を割り当てて使用することが一般的となっている。
【０００３】
従来の携帯電話機では、例えば、日本語入力を行う際には、テンキーの各キーに５０音配列の各行のア段を割り振り、別途設けた補助入力キー、Ｉ・Ｕ・Ｅ・Ｏと同時押し、もしくは、一定時間内に同時入力することでボタンの押下回数を減らし、迅速な文字入力を可能とするものがある。そして、数字の入力を行う際には、補助入力キーを無入力とすれば数字入力が行え、英字入力を行う際には、テンキーの各キーに表示されている英字の下に記した文字と対になる補助入力キーを同時入力すれば英字入力が行える技術は、特許文献１に記載されている。
【０００４】
また、上・下・左・右・中央の５つのキーが十字型に並んだ十字キーを携帯電話機の正面上部に別途設け、そしてその下には十字カーソルを表示させるモニター、そして文字変換キー等を設けた携帯電話機がある。ユーザは、モニターに示された文字列の中から選択したい文字と同じ位置のキーを選択し押下することで、文字入力を行うことができる。例えば、日本語入力で「あ」キーを押下した場合には、十字キーの左キーに「あ」、中央キーに「い」、右キーに「う」、上キーに「え」、下キーに「お」が割り当てられ、その割り当て状況がディスプレイ内の十字カーソルに表示されるので、該当文字にあたるキーを押下すれば良い。そして、濁点および半濁点を入力する際には、文字入力後に記号キーやＹＺキーを押下して修正を行い、小さな仮名や小文字を入力する際には、十字カーソルが表示中に英字キーシフトを押し変換する技術は、特許文献２に記載されている。
【特許文献１】特開２００３−１７４４９４号公報
【特許文献２】特開２００３−２８９３７０号公報
【発明の開示】
【発明が解決しようとする課題】
【０００５】
しかしながら、上記の如く従来の携帯電話機では補助入力キーおよび十字キー等の文字入力のためのキーや文字入力内容を表示するモニターを新たに設置するため、製作コストが増大するという問題があった。
【０００６】
また、補助入力キーおよび十字キー等を用い文字入力を行い、そして濁点および半濁点の入力や小文字の入力の際には更に、新たに設置したキーを用いて文字の修正または変換を行う必要があるため、ユーザに複雑な操作の必要性という印象を与えてしまう問題があった。
【０００７】
近年携帯電話機が多機能化するなかで、操作の迅速化および容易性を求める市場要求もでてきている。
【課題を解決するための手段】
【０００８】
本発明は、上述した問題点に鑑みて成されたものであり、表示部と、それぞれに入力候補が割り当てられた１０個の基本入力キーと１個の補助入力キーと、前記入力候補群の個々に割り当てられ上下左右方向に押下可能な十字キーとを含むキー操作部とを有し、前記キー操作部を操作して数字及び文字の入力を行う携帯電話機の文字入力方法であって、前記基本入力キーの押下により入力候補群を選択し、前記十字キーの押下位置により前記入力候補の内の１つの文字または数字を決定することで解決するものである。
【０００９】
これにより従来の携帯電話機のキー操作部を用いて文字入力が行えるため、製作コストの増大を回避することができる。
【００１０】
また、日本語入力の際に、前記十字キーで所望の１文字を選択し、前記補助入力キーの押下により該選択文字の小文字変換、または濁点、半濁点の付与を行うことを特徴とするものである。
【００１１】
これにより従来の携帯電話機と比べて仮名の入力や小文字変換、または濁点、半濁点の付与におけるキーの押下回数を減少することができる。
【００１２】
また、日本語入力の際に、前記基本入力キーの１つを押下した後、前記補助入力キーを押下することで長音を入力することを特徴とするものである。
【００１３】
これにより従来の携帯電話機と比べて長音の入力におけるキーの押下回数を減少することができる。
【００１４】
また、英数字入力の際に、前記十字キーで所望の１字を選択し、前記補助入力キーの押下により該選択文字の小文字変換を行うことを特徴とするものである。
【００１５】
これにより従来の携帯電話機と比べて英数字の入力や小文字変換におけるキーの押下回数を減少することができる。
【００１６】
また、前記第２補助入力キーは記号入力に割り当てられることを特徴とするものである。
【００１７】
これにより従来の携帯電話機と比べて記号の入力におけるキーの押下回数を減少することができる。
【００１８】
また、前記基本入力キーの押下により前記入力候補群および該入力候補群の個々に割り当てられた前記十字キーとの対応状況を前記表示部の上下左右いずれかの端部に表示することを特徴とするものである。
【００１９】
これにより表示部の上下左右いずれかの端部に表示される十字キーとの対応状況を確認しながら入力できる。
【００２０】
また、前記基本入力キーの押下により前記表示部の上下左右いずれかの端部に表示される前記入力候補群と前記十字キーの方向との対応状況に従って文字入力を行うことを特徴とするものである。
【００２１】
これによりユーザへ文字入力における容易な操作という印象を与えることができる。
【発明の効果】
【００２２】
上述したように、本発明の携帯電話機では、１０個の基本入力キーと補助入力キー、十字キーの組み合わせにより、数字および文字入力のキー押下回数の減少を実現できる。携帯電話機が多機能化するなか、既存の機能を用いて操作の高速化および効率化を図ることで、製作コストの増大を回避でき、また操作の容易性という印象を与える事ができる。
【００２３】
日本語入力の際に十字キーで所望の１文字を選択した後に補助入力キーを押下することで小文字および濁点、半濁点の入力が可能となる。例えば、小文字の「ょ」を入力する場合には、従来の携帯電話機では「やゆよゃゅょ」と入力キーを６回押下する必要があった。本発明の携帯電話機では基本入力キーを1回押下し行（この場合はや行）を確定し、その後十字キーで所望の1文字を選択し、その後補助入力キーを押下と３回のキー押下により入力が行える。
【００２４】
また、日本語入力の際に基本入力キーの１つを押下した後に補助入力キーを押下することで長音の入力も可能となる。
【００２５】
英数字入力の際に十字キーで所望の１字を選択した後に補助入力キーを押下することで小文字の入力が可能となる。
【００２６】
また、第２補助入力キーを押下することで記号入力が可能となる。
【００２７】
更に、表示部の上下左右のいずれかの端部に入力候補群および十字キーの方向との対応状況を表示しそれに従って入力できるので操作性が向上する。
【発明を実施するための最良の形態】
【００２８】
以下に、本発明における実施の形態について、図１〜６を参照にして詳細に説明する。
【００２９】
本発明は画像表示ができ、文字入力機能を備え、十字キーを実装している任意の携帯電話機に適用できる。尚、以下では折り畳み可能な携帯電話機が表示されているが、この形態に限定されるものではなく、例えば、ストレート式の携帯電話機の場合でもよい。
【００３０】
まず、図１は本発明の一実施の形態である携帯電話機の（Ａ）開いた状態での内側（キー面）から見た概略図、（Ｂ）十字キーの概略図、（Ｃ）日本語入力における入力キーへの割り当て状況を説明する図、（Ｄ）英数字入力における入力キーへの割り当て状況を説明する図である。
【００３１】
図１（Ａ）に示す如く、本実施の形態の携帯電話機１は表示部２、キー操作部１８から構成されている。
【００３２】
表示部２は、スピーカが配置されている蓋部内側に四角形状で配置されている。
【００３３】
キー操作部１８は、十字キー３、入力キー１９を含んでいる。
【００３４】
入力キー１９は更に基本入力キー２０、第１補助入力キー１５および第２補助入力キー１６からなる。
【００３５】
またカメラ機能付きの携帯電話機１であれば、カメラ機能を起動させるカメラキー２１を含み、またメール機能付きの携帯電話機１であれば、メール機能を起動させるメールキー２２を含む。尚、本実施形態ではカメラ機能付きの携帯電話機を例に説明するが、カメラ機能およびこれに付随するキーは無くても良い。
【００３６】
十字キー３は、例えば図１（Ｂ）の如く、上キー３ｕ、下キー３ｄ、左キー３ｌ、右キー３ｒ、中央キー３ｃからなり、変換キーやカーソルの移動キーとして使われる。同携帯電話機１では、十字キー３の上下左右と中央部が基本入力キー２０押下時に割り当てられる複数の入力候補に個々に対応している。また、中央キー３ｃは、メニュー表示や入力文字等の確定時にも利用される。尚、本実施形態では中央キー３ｃを十字キー３の一部として説明するが、十字キー３と一体化せず、別途中央に設けられたキーであってもよい。
【００３７】
入力キー１９は、１０個の基本入力キーと２個の補助入力キーからなり、基本入力キー２０はキー５〜１４からなり、メールや電話帳等の文字入力の場合および電話をかける場合に利用される。１つの基本入力キーのキー５〜１４には英数字や仮名といった複数の入力候補が割り当てられており、割り当て状況については後述する。
【００３８】
尚、図のごとく一般的に入力キーは１２個のキーからなるが、本実施形態では１つの補助入力キー（第１補助入力キー１５）に小文字変換、濁音および半濁音の付与、長音入力等、文字・数字入力の補助の機能を割り当てることにより、基本入力キー２０と併せて１１個の入力キーと、十字キー３とで文字・数字入力を行うことができる。そして、本実施形態では第２補助入力キー１６には記号入力を割り当てるとする。尚、第２補助入力キー１６には記号に限らず他の機能を割り当ててもよい。
【００３９】
例えば図１（Ｃ）に示す如く、日本語入力の際の基本入力キー２０にはキー５が「あ行」、キー６が「か行」、キー７が「さ行」、キー８が「た行」、キー９が「な行」、キー１０が「は行」、キー１１が「ま行」、キー１２が「や行」、キー１３が「ら行」、キー１４が「わをん。、ー」、第１補助入力キー１５が「小文字等」、第２補助入力キー１６が「記号」を入力する為に割り当てられているとする。尚、第１補助入力キー１５には、小文字、濁音、半濁音、長音等への変換の機能が含まれている。
【００４０】
また例えば図１（Ｄ）に示す如く、英数字入力の際の基本入力キー２０にはキー５が「．／＠１」、キー６が「ＡＢＣ２」、キー７が「ＤＥＦ３」、キー８が「ＧＨＩ４」、キー９が「ＪＫＬ５」、キー１０が「ＭＮＯ６」、キー１１が「ＰＱＲＳ７」、キー１２が「ＴＵＶ８」、キー１３が「ＷＸＹＺ９」、キー１４が「０」、第１補助入力キー１５が「小文字」、第２補助入力キー１６が「記号」を入力する為に割り当てられているとする。
【００４１】
日本語入力の場合には、まず基本入力キー２０から目的の行に相当するキーを１回押下することで行を確定する。つまりこれにより１つの「行」が入力候補群として選択され、入力候補群のすべてが表示部２に表示される。そして十字キー３の上下左右および中央部に割り当てられた文字に相当するキーを更に押下して、入力候補群の内の１つの文字を確定する。
【００４２】
例えば入力する文字が「ア段」の場合は、基本入力キー２０を１回押下して行を確定後
、場合により第１補助入力キー１５を押下し小文字変換や濁点付加を施し、その後中央キ
ー３ｃを１回押下することで一文字を確定する。小文字変換とは、拗音に使用する小文字
または促音に使用する小文字への変換をいう。
【００４３】
また、入力しようとする文字が「イウエオ段」の場合は、基本入力キー２０を１回押下して行を確定後、十字キー３の上下左右に割り当てられた文字に相当するキーをさらに１回押下することで段を確定し、場合により第１補助入力キー１５により小文字変換や濁点付加を施し、一文字を確定する。
【００４４】
そして、入力中の文字が確定した後は、十字キー３は漢字変換キーやカーソル移動キーとしての役割を果たす。
【００４５】
また、基本入力キー２０を１回押下して行を確定後、続いて基本入力キー２０のいずれかを１回押下した場合にも、一つ目の文字を「ア段」で小文字変換も濁点付加もされなかったものとして一文字を確定後、基本入力キー２０に相当する次の文字の行が確定されたものとして処理が移る。なお小文字変換や濁点、半濁点が存在する文字については、第１補助入力キー１５を押すごとに変換が可能で、例えば「つ」を入力後、第１補助入力キー１５を１回押下すると「っ」に、更に押下すると「づ」に、更に押下すると「つ」に変化し、以後繰り返される。また、「は」の場合は第１補助キー１５を押下するごとに「ば」「ぱ」「は」へと変化し、「あ」の場合は「ぁ」「あ」と変化し、これらは以後繰り返される。
【００４６】
一方、「わ行」の場合は特殊となり、十字キー３に「をん。、」の４文字を割り当て、長音記号「ー」はキー１４「わ行」を入力した状態で補助入力キー１５を押下することにより入力できる。「ア段」の場合も含め、どのキーがどの段に相当するか、また変換キーがどれに値するかといった情報は、表示部２に表示可能である。
【００４７】
英数字入力の場合には、まず基本入力キー２０を１回押下すると、基本入力キー２０の各々に書かれている文字が入力候補群として表示部２に表示される。その後十字キー３の上下左右および中央部に割り当てられた文字に相当するキーを更に１回押下することで確定する。また日本語入力同様、どのキーがどの文字に相当するかという情報を表示部２に表示可能である。
【００４８】
次に、図２は同携帯電話機における日本語変換時の画面表示方法を説明する説明図である。
【００４９】
図２を参照して、表示部２の表示例を説明する。同携帯電話機１はユーザの設定により、表示部２の上下端の１行または左右端１列を使用し、表示領域内にガイドを表示できる。一例として表示部２の下端に表示し、下キー３ｄを変換に割り当て、中央キー３ｃを決定に割り当てたガイドを示す。尚、表示部２への表示・非表示はユーザの操作により切り替え可能である。
【００５０】
例えば、日本語で「にゅうりょく」という文字列の入力を行うと表示部２の下端部には「決定・変換」というガイドが表示される。このまま文字列の変換を行わずに文字列の確定を行う場合は中央キー３ｃを押下すれば良く、変換を行う場合は下キー３ｄを押下し該当の文字を選択後に中央キー３ｃを押下し文字列の確定を行えば良い。
【００５１】
次に、図３は、同携帯電話機における日本語入力時の入力キーおよび画面表示を説明する説明図である。
【００５２】
尚、図３（Ａ）では入力候補群の表示例を示し、図３（Ｂ）（Ｃ）では押下するキーとそれにより入力された後の文字列を表示する。
【００５３】
例えば図３（Ａ）で、「す」と入力したい場合には、まず、キー７を１回押下する。すると入力候補となるさ行の文字列（さしすせそ）が表示部２の下端に表示される。そして入力候補のそれぞれに割り当てられている左キー３ｌ、右キー３ｒ、上キー３ｕ、下キー３ｄ、中央キー３ｃが対応表示されるので表示を参照して対応するキー（この場合は、左キー３ｌ）を押下すれば良い。尚、図の如く、「さ」は中央キー３ｃに割り当てられているので、ア段の場合は決定キーをそのまま押下すればよい。尚、入力候補群と十字キー３の上下左右の対応順は一例である。
【００５４】
次に図３（Ｂ）を参照して、「ななひゃくばーれる」という文字列を例にして入力手順を示す。まず、キー９押下で「な」、続けてキー９押下で「な」、次にキー１０、上キー３ｕ押下で「ひ」、次にキー１２、キー１５押下で「ゃ」、次にキー６、左キー３ｌ押下で「く」、次にキー１０、キー１５押下で「ば」、次にキー１４、キー１５押下で「ー」、次にキー１３、下キー３ｄ押下で「れ」、次にキー１３、左キー３ｌ押下で「る」の順に文字列を入力し、最後に中央キー３ｃを押下し文字列の確定を行えばよい。このように、日本語入力の際に、十字キー３で入力候補の内の１字を選択したのち、第１補助入力キー１５を押下することにより当該選択文字の小文字変換、または濁点、半濁点の付与が行える。また、基本入力キーの１つ（ここではキー１４）を押下した後、第１補助入力キー１５を押下することで長音を入力することができる。尚、最初の基本入力キー２０の押下で行の確定を行った後に再度続けて基本入力キー２０を押下した場合は、最初に入力した文字が確定され中央キー３ｃによる決定を行った場合と同様の処理がされる。
【００５５】
次に、図３（Ｃ）に「つっづ」と入力する場合を例にして入力手順を示す。まず、キー８、左キー３ｌ押下で「つ」、次にキー８、左キー３ｌ、キー１５で「っ」、次にキー８、左キー３ｌ、キー１５、キー１５押下で「づ」の順に文字列を入力し、最後に中央キー３ｃを押下し文字列の確定を行えば良い。つまり、第１補助入力キー１５は押下する毎に小文字、濁音、半濁音へと変換される。
【００５６】
次に、図４は同携帯電話機における英数字入力時のキー入力および画面表示を説明する説明図である。
【００５７】
尚、図４（Ａ）では入力候補群の表示例を示し、図４（Ｂ）では押下するキーとそれにより入力された後の文字列を表示する。
【００５８】
例えば、図４（Ａ）のごとく、「Ｔ」と入力したい場合には、まず、キー１２を１回押下する。すると入力候補となる英数字（ＴＵＶ８）が表示部２の下端に表示される。そして入力候補のそれぞれに割り当てられている中央キー３ｃ、左キー３ｌ、上キー３ｕ、下キー３ｄが対応表示されるので表示を参照して対応するキー（この場合は、上キー３ｕ）を押下すれば良い。
【００５９】
次に、図４（Ｂ）のごとく、「７００Ｂａｒｒｅｌ」という文字列を例にして入力手順を示す。まず、キー１１、中央キー３ｃ押下で「７」、次にキー１４押下で「０」、次にキー１４押下で「０」、次にキー６、左キー３ｌ押下で「Ｂ」、次にキー６、上キー３ｕ、キー１５押下で「ａ」、次にキー１１、下キー３ｄ、キー１５押下で「ｒ」、次にキー１１、下キー３ｄ、キー１５押下で「ｒ」、次にキー７、左キー３ｌ、キー１５押下で「ｅ」、キー９、左キー３ｌ、キー１５押下で「ｌ」の順に入力すれば良い。このように、英数字入力の際に、十字キー３で入力候補のうちの１字を選択し、第１補助入力キー１５の押下により当該選択文字の小文字変換を行うことができる。また、日本語入力同様、最初の基本入力キー２０の押下後に再度続けて基本入力キー２０を押下した場合は、最初に入力した文字が確定され中央キー３ｃによる決定を行った場合と同様の処理がされる。
【００６０】
以上説明したように、本実施形態では、１０個の基本入力キー２０と１つの補助入力キーを使用することで、英数字入力、日本語文字入力が可能となる。特に日本語文字入力において拗音、促音等の場合の小文字、濁音、半濁音、あるいは長音についても、基本入力キーと１つの補助入力キーで入力することができる。これにより文字入力用にキーを増やすことなく、また操作を複雑にすることなく、文字入力ができるものである。
【００６１】
最後に、図５、図６を用いて同携帯電話機１の文字入力における動作を説明する。図５は同携帯電話機における日本語入力時の動作を説明するフローチャートであり、図６は同携帯電話機における日本語入力時のキー入力と表示部２の画面遷移図の一例である。尚、以下はメールの文字入力を例に説明するが、電話帳データ等の入力についても同様である。
【００６２】
まず、ユーザの指示によりメールキー２２が押下され、メール入力画面が呼び出される。その後、キー入力待ちの状態であるかを判断する（ステップＳ１）。
【００６３】
キー入力待ちの状態である場合は、基本入力キー２０が押下されたかの判断（ステップＳ２）が行われる。
【００６４】
ここで基本入力キー２０が押下されない場合は、文字列の入力中でかつ変換の為のキーが押下されたかの判断（ステップＳ４）が行われる。文字列入力中でかつ変換の為のキーが押下された場合には日本語変換処理（ステップＳ５）を行うが、そうでない場合には文字の削除やカーソルの移動等といったその他キー入力時処理（ステップＳ６）を行い、その後ステップＳ１の判断が行われる。
【００６５】
一方、ステップＳ２の判断において基本入力キー２０（例えばキー９）が押下された場合は現在入力中の文字の行（この場合は、な行）を確定する（ステップＳ３）。このときの表示部２は図６（Ａ）の如く、入力候補の文字列（この場合は、なにぬねの）が表示部下端に表示されている。
【００６６】
その後、前回の基本入力キー２０の押下に続けて基本入力キー２０が押下されたかの判断（ステップＳ７）を行う。ステップＳ３の押下に続けて基本入力キー２０（例えばキー９）が押下された場合には図６（Ｂ）の如く、現在入力中の文字（この場合は、な）を確定し（ステップＳ８）、更に次文字の行（この場合は、な行）を確定し（ステップＳ９）、その後ステップＳ７の判断が行われる。
【００６７】
イウエオ段を入力する場合には、ステップＳ３およびステップＳ９で入力中の文字の行が確定された後、ステップＳ７の判断が行われる。基本入力キー２０（例えばキー１０）の押下によりステップＳ３およびステップＳ９で現在入力中の文字の行（この場合は、は行）が確定される。その後、キー１５を押下しかつ該文字に小文字、濁点、半濁点、長音が存在するかの判断を行う（ステップＳ１０）。キー１５が押下されない場合には、表示部２は図６（Ｃ）の如く、入力候補の文字列（この場合は、はひふへほ）が表示部下端に表示され、キー３が押下されたかの判断（ステップＳ１２）が行われ、キー３が押下された場合は、キー１５が押下されかつ該文字に小文字、濁点、半濁点が存在するかの判断（ステップＳ１３）が行われる。キー１５が押下された場合には、小文字濁点処理（ステップＳ１４）を行った後に現在入力中の文字の確定（ステップＳ１５）を行うが、そうでない場合には直接ステップＳ１５が行われ現在入力中の文字（この場合は、ひ）を確定する。その後、ステップＳ１の判断が行われる。尚、ステップＳ１２の判断でキー３が押下されない場合には、現在入力中の文字の確定（ステップＳ１８）へと移り、その後ステップＳ１の判断が行われる。
【００６８】
また、小文字を入力する場合には基本入力キー２０（例えばキー１２）の押下によりステップＳ３およびステップＳ９で現在入力中の文字の行（この場合は、や行）を確定し、ステップＳ７の判断では基本入力キー２０が押下されない場合、小文字、濁点、半濁点、長音への変換が割り当てられているキー１５の押下を判断する処理（ステップＳ１０）へと移り、キー１５が押下された場合の小文字濁点処理（ステップＳ１１）が行われる。
【００６９】
この場合のステップＳ１１の小文字変換処理では、表示する文字列を小文字にて表示する。すなわち、表示部２は図６（Ｄ）の如く、入力候補の文字列（この場合は、やゆよ）が表示部下端に表示されている。
【００７０】
尚、「イウエオ段」の小文字（例えばゅ）への変換の場合には、図６（Ｄ）の表示に従い、キー３を押下するので、この場合には、ステップＳ１１の小文字濁点処理においてキー３押下を判断するものとする。
【００７１】
また、ステップＳ７の基本入力キー２０（この場合は、キー１２）の押下に続けてステップＳ１２において割り当てられた入力候補に相当するキー３（この場合は、上キー３ｕ）を押下した後にキー１５を１回押下（ステップＳ１３）するようにしてもよい。
【００７２】
ステップＳ１１の後、基本入力キー２０（例えばキー６）が押下されたかの判断（ステップＳ１６）が行われ、押下された場合にはステップＳ８で現在入力中の文字（この場合は、ゃ）を確定し、ステップＳ９で次文字の行（この場合は、か行）を確定する。このとき表示部２は入力候補の文字列（この場合は、かきくけこ）が表示部下端に表示され、その後ステップＳ７の判断が行われ、前回の押下に続けてキー３が押下されるかを判断する（ステップＳ１２）。キー３が押下されると、図６（Ｅ）の如く表示され、ステップＳ１３へ移る。その後ステップＳ１３の判断においてもキー１５が押下されない場合はステップＳ１５が行われ、現在入力中の文字（この場合は、く）が確定される。尚、ステップＳ１６の判断で基本入力キー２０が押下されない場合には、現在入力中の文字の確定（ステップＳ１７）へと移り、その後ステップＳ１の判断が行われる。
【００７３】
更にまた、濁点を入力する場合も同様に、ステップＳ３およびステップＳ９で入力中の文字の行が確定された後、ステップＳ７の判断が行われる。基本入力キー２０（例えばキー１０）の押下によりステップＳ３およびステップＳ９で現在入力中の文字の行（この場合は、は行）が確定され、キー１５が押下されるとステップＳ１０の判断へと移り、キー１５が押下された場合の処理ステップＳ１１が行われる。
【００７４】
ステップＳ１１において濁点、半濁点へ変換する場合には、キー３（この場合は中央キー３ｃ）を押下した後にキー１５を回数押し（この場合は１回）すればよい。この時の表示部２は図６（Ｆ）の如く、入力候補の文字列（この場合は、はひふへほ）が表示部下端に表示されている。尚、濁点、半濁点への変換はキー１５の押下回数により行える。
【００７５】
その後、ステップＳ１６の判断が行われ基本入力キー２０（例えばキー１４）が押下された場合にはステップＳ８で現在入力中の文字（この場合は、ば）を確定し、ステップＳ９で次文字の行（この場合は、わ行）を確定する。その後ステップＳ７の判断が行われる。尚、基本入力キー２０が押下されない場合にはステップＳ１７で現在入力中の文字を確定後、ステップＳ１が行われる。
【００７６】
更にまた、長音を入力する場合も同様に、ステップＳ３およびステップＳ９で入力中の文字の行が確定された後、ステップＳ７の判断が行われる。基本入力キー２０の押下に続けてキー１５が押下されるとキー１５が押下された場合の処理ステップＳ１１が行われる。
【００７７】
ステップＳ１１において長音への変換する場合には、キー１４を押下した後にキー１５を１回押下すればよい。この時の表示部２は図６（Ｇ）の如く、入力候補の文字列（この場合は、わをん、。）が表示部下端に表示されている。その後、ステップＳ１６の判断が行われ基本入力キー２０が押下された場合にはステップＳ８で現在入力中の文字を確定し、ステップＳ９で次文字の行を確定し、その後ステップＳ７の判断が行われる。尚、基本入力キー２０が押下されない場合にはステップＳ１７で現在入力中の文字を確定後、ステップＳ１が行われる。
【図面の簡単な説明】
【００７８】
【図１】本発明の一実施の形態である携帯電話機の携帯電話機の（Ａ）開いた状態での内側（キー面）から見た概略図、（Ｂ）十字キーの概略図、（Ｃ）日本語入力における入力キーへの割り当て状況を説明する図、（Ｄ）英数字入力における入力キーへの割り当て状況を説明する図である。
【図２】本発明の一実施の形態である携帯電話機における日本語変換時の画面表示方法を説明する説明図である。
【図３】本発明の一実施の形態である携帯電話機の日本語入力時の画面表示方法における（Ａ）入力候補群の表示例を説明する図、（Ｂ）（Ｃ）押下するキーとそれにより入力された文字列の表示の説明図である。
【図４】本発明の一実施の形態である携帯電話機の英数字入力時の画面表示方法における（Ａ）入力候補群の表示例を説明する図、（Ｂ）押下するキーとそれにより入力された文字列の表示の説明図である。
【図５】本発明の一実施の形態である携帯電話機における日本語入力時の動作を説明するフローチャートである。
【図６】本発明の一実施の形態である携帯電話機における日本語入力時のキー入力と表示部の画面遷移図である。
【符号の説明】
【００７９】
１      携帯電話機
２      表示部
３      十字キー
３ｃ    中央キー
３ｄ    下キー
３ｌ    左キー
３ｒ    右キー
３ｕ    上キー
５、６、７、８、９、１０、１１、１２、１３、１４  数字・文字キー
１５    第１補助入力キー
１６    第２補助入力キー
１８    キー操作部
１９    入力キー
２０    基本入力キー
２１    カメラキー
２２    メールキー
【図１】
2005311898.tif 000003
【図２】
2005311898.tif 000004
【図３】
2005311898.tif 000005
【図４】
2005311898.tif 000006
【図５】
2005311898.tif 000007
【図６】
2005311898.tif 000008